(57)【要約】【課題】簡単な構造で且つ軽量コンパクトであると共に、糞等の汚物を掴み、掬い、掃く事が熟練を要せずとも簡単に手を汚すことなく行うことができ、確実に糞等の汚物を収集し持ち帰ることができるペット汚物の携帯処理具を提供する。【解決手段】主体部の両側に折曲した折曲部と、該主体部の前方に連設した凹状のスコップ部とを具備し、前記折曲部の下端は内方に向けた掴み片に形成し、指の力で前記折曲部を内向きに変位させて、前記掴み片で糞等の汚物を保持し、押圧を解くと弾性力により開いて汚物を離すように構成した。【選択図】  図１
2004229620.tif 000002
【特許請求の範囲】
【請求項１】
主体部の両側に折曲した折曲部と、該主体部の前方に連設した凹状のスコップ部とを具備し、前記折曲部の下端は内方に向けた掴み片に形成し、指の力で前記折曲部を内向きに変位させて、前記掴み片で糞等の汚物を保持し、押圧を解くと弾性力により開いて汚物を離すように構成したことを特徴とするペット汚物の携帯処理具。
【請求項２】
前記主体部の後方に、ブラシ部を連設する請求項１記載の処理具。
【請求項３】
厚紙を折曲することによって前記折曲部を形成し、前記主体部と前記スコップ部との間に切り込みを形成し、前記折曲部に連設した前記スコップ部両側の折曲部を折曲することによって、前記スコップ部を凹状に形成する請求項１又は２記載の処理具。
【請求項４】
前記切り込みを前方に向かって凹状に形成する請求項３記載の処理具。
【請求項５】
前記スコップ部両側の折曲部を、前方に向けて幅狭となるように形成する請求項３又は４記載の処理具。
【請求項６】
前記主体部と前記ブラシ部との間に切り込みを形成し、先端から多数の切欠き部を形成して細長い先細ブラシ片を多数連設するように前記ブラシ部を形成する請求項２〜５のいずれかに記載の処理具。
【請求項７】
前記主体部と前記折曲部との間近傍に、該折曲部の方向に凸状の切り込みを入れて係止片を連設し、前記両折曲部を谷折り折曲線から谷折りした折り返し片を前記係止片の下に挿入係止させる請求項１〜６のいずれかに記載の処理具。
【請求項８】
前記谷折り折曲線に間隔づけて鋸刃状に切り込みを入れて鋸刃状掴み片を形成し、該鋸刃状掴み片を水平に位置させる請求項７記載の処理具
【請求項９】
第１の谷折り折曲線の外方に隣接して第２の谷折り折曲線を形成し、前記第１の谷折り折曲線に間隔づけて鋸刃状に切り込みを入れて鋸刃状掴み片を形成し、前記第１の谷折り折曲線から略垂直に折曲して鋸刃状掴み片を水平状態とし、前記第２の谷折り折曲線から折曲した折り返し片を前記係止片の下に挿入係止させて、前記第１の谷折り折曲線と前記第２の谷折り折曲線との間に平坦な接地面を形成する請求項７記載の携帯処理具。
【発明の詳細な説明】
【０００１】
【発明の属する技術分野】
本発明は、ペットを連れた散歩や旅行等の際にペットが排泄した汚物を、掴んだり（挟んだり）、掃いて寄せ集めたり、土や砂と共に掬い取ることによって、簡便且つ清潔に紙袋、ビニール袋等の袋類に収集処理できるようにしたペット汚物の携帯処理具に関する。
【０００２】
【従来の技術】
ペットを散歩させる際には、ペット等が排泄した糞等の汚物を収集する為、スコップ、ティッシュ、ビニール袋、棒、箒等を持ち歩くのが通常のスタイルである。しかしながら、ペット等に連結した紐を引きながらこれらを持ち歩くのは大変に不便で邪魔であるばかりでなく、棒を使って寄せ集めた汚物をスコップで掬ったり、箒で掃いて寄せ集めた糞等の汚物をティッシュ（紙類）やビニール袋等の袋類で掴んだりと、汚物収集作業自体も大変厄介であった。
【０００３】
このような欠点を解決するため、種々の汚物処理具が開発されている（例えば特許文献１参照）。この特許文献１には、糞回収袋の開口縁に互いに対向した一対の板状糞掻込体の先端部を糞回収袋の外部に位置させるとともに糞回収袋の開口を下にした状態で糞の上方に位置させ、糞掻込体の先端縁を地面に当接させたままで、糞掻込体を、その基端部を支軸として糞回収袋内方に向けて回転させ、糞掻込体により糞を糞回収袋内に掻き込む汚物処理具が開示されている。
【０００４】
【特許文献１】
特開平１０−１６５０２９号公報（第４−５頁、第３図〜第５図）
【０００５】
【発明が解決しようとする課題】
上記のように行うことによって、手に汚物が付着せず衛生的に汚物を回収袋に納めることができるが、両手を使わなければならないという問題があるほか、散らばった汚物等を収集する為のスコップや掃くためのほうき等の他の用具が必要となる問題がある。そればかりか、上手く使いこなすための要領が要求され、誰でも簡単にペット等の紐を引きながらの回収ができない難点がある。
【０００６】
本発明はこのような点に着目してなされたものであり、簡単な構造で且つ軽量コンパクトであると共に、汚物を掴み、掬い、掃く事が熟練を要せずとも簡単に手を汚すことなく行うことができ、確実に糞等の汚物を収集し持ち帰ることができるるペット汚物の携帯処理具を提供することを目的とする。
【０００７】
【課題を解決するための手段】
上記目的を達成するため、本発明のうち請求項１に記載の発明は、主体部の両側に折曲した折曲部と、該主体部の前方に連設した凹状のスコップ部とを具備し、前記折曲部の下端は内方に向けた掴み片に形成し、指の力で前記折曲部を内向きに変位させて、前記掴み片で糞等の汚物を保持（掴む，挟む）し、押圧を解くと弾性力により開いて汚物を離すように構成したことを特徴とする。
【０００８】
前記主体部の後方には、ブラシ部を連設するのが好ましい（請求項２）。スコップ部でブラシ部の代用をすることもできるが、ブラシ部を設けたほうが効果的に汚物にかけるための砂を集めたり、糞等の汚物を掃き集めることができる。また、ブラシ部を設けることによって、スコップ部を頭部とし、主体部と折曲部とを胴体とし、ブラシ部を尻尾とした犬等の動物の形状に形成できるので、デザイン的にも興味を与える形状に構成することができる。
【０００９】
本発明の処理具は、厚紙を折曲することによって前記折曲部を形成し、前記主体部と前記スコップ部との間に切り込みを形成し、前記折曲部に連設した前記スコップ部両側の折曲部を折曲することによって前記スコップ部を凹状に形成するのが好ましい（請求項３）。
【００１０】
前記切り込みを前方に向けて凹状に形成することにより、湾曲させることによってスコップ部を奇麗に形成できると共に主体部両側の開閉に弾力性を付与させることができる（請求項４）。
【００１１】
前記スコップ部両側の折曲部を、前方に向けて幅狭となるように形成するのが、折曲することによってスムーズに凹状のスコップ部となることから好ましい（請求項５）。
【００１２】
前記主体部と前記ブラシ部との間に切り込みを形成し、先端から多数の切欠き部を形成して細長い先細ブラシ片を多数連設するように前記ブラシ部を形成するのが好ましい（請求項６）。
【００１３】
前記主体部と前記折曲部との間近傍に、該折曲部の方向に凸状の切り込みを入れて係止片を連設し、前記両折曲部を谷折り折曲線から谷折りした折り返し片を前記係止片の下に挿入係止させるのが好ましい（請求項７）。
【００１４】
前記谷折り折曲線に間隔づけて内方に向けて多数の鋸刃状の切り込みを入れて鋸刃状掴み片を形成し、該鋸刃状掴み片を水平に位置させるのが好ましい（請求項８）。
【００１５】
第１の谷折り折曲線の外方に隣接して第２の谷折り折曲線を形成し、前記第１の谷折り折曲線に間隔づけて鋸刃状に切り込みを入れて鋸刃状掴み片を形成し、前記第１の谷折り折曲線から略垂直に折曲して鋸刃状掴み片を水平状態とし、前記第２の谷折り折曲線から折曲した折り返し部を前記係止片の下に挿入係止させて、前記第１の谷折り折曲線と前記第２の谷折り折曲線との間に平坦な接地面を形成するのが好ましい（請求項９）。
【００１６】
【発明の実態の形態】
次に、本発明の実施の形態を図面に基づいて説明する。
【００１７】
図１は、本発明の一実施例を示す展開図であり、厚紙（この実施例ではラミネート加工した厚紙を使用した）から形成してなり、主体部１の両側に山折り折曲線２，２´を介して折曲部３，３´を連設し、同主体部１の前方には、切込み線（切込み）４を介してスコップ部５を連設し、同主体部１の後方には、切込み線（切込み）６を介してブラシ部７を連設した例を示す。
【００１８】
折曲部３，３´の第１の谷折り折曲線８，８´には、主体部１方向に向けた掴み片９，９´形成切込み１０，１０´が間隔付けて多数形成されている。図２及び図３に示すように、第１の谷折り折曲線８，８´を略９０°谷折りすると、掴み片９，９´は、内方に向けた水平状態となる。このように、掴み片９，９´は折曲していないので、糞等の汚物を掴んでも折れ曲がることなく優れた耐久性を示す。
【００１９】
図５（Ａ）及び（Ｂ）は、従来の掴み片９Ａ、９Ａ´と９Ｂ、９Ｂ´とを示すものであり、山形の掴み片が連設されているが、上記実施例では、山形の掴み片９及び９´は、直線部（折曲線）８，８´を介して連設されている。このように形成することによって、糞等の汚物を掴んだ場合の耐久性が更に向上する。しかしながら、本発明においては、掴み片は図５のように形成されていても良く、掴み片の形状は特に限定されない。また上記実施例では、掴み片９と直線部８´とが、掴み片９´と直線部８とが噛み合うように構成され、汚物等の取りこぼしを最小限に抑えるように形成している。
【００２０】
山折り折曲線２，２´から折曲部３，３´に向けて半楕円状（凸状）の切込み１１，１１´を入れて係止片１２，１２´が連設されている。第１の谷折り折曲線８，８´の外方に間隔付けて第２の谷折り折曲線１３，１３´が形成され、同第２の谷折り折曲線を介して折返し片１４，１４´が連設されている。図２及び図３に示すように、第２の谷折り折曲線１３，１３´から谷折りして、折返し片１４，１４´を半楕円状切込み１１，１１´の下に挿入係止させるようになっている。
【００２１】
第１の谷折り折曲線８，８´と第２の谷折り折曲線１３，１３´との間１５は、図２及び図３に示すように、平坦設置面１５となるので、掴み片９，９´が常に地面と水平となるように設置でき、糞等の汚物を確実に掴むことができる。
【００２２】
主体部１とスコップ部５との間の切込み線４は、前方に向って凹状に形成するのが良く、前方に向けて拡開した凹状に形成するのが好ましい。上記実施例では、下底のない台形を逆にした形状の切込み線４に形成されている。
【００２３】
スコップ部５の両側部には、前方に向けて幅狭な山折り線１６，１６´が形成されている。このように形成することによって、山折り線１６，１６´を山折りすれば、スコップ部本体５は、容易に断面半円形の湾曲した凹部に形成される。
【００２４】
主体部１の山折り折曲線２，２´の内方には、逆台形の切込み線４の底面両端を延長したような山折り折曲線１７，１７´が対向して形成されている。これは必ずしもこのようにする必要はないが、このようにすれば、折曲部３，３´を押圧して、掴み片９と９´とを開閉自在とするスプリング力を更に高めることができる。
【００２５】
主体部１の後方に連設したブラシ部７には、その両側部に主体部の折曲線２，２´と同一直線上にある山折り線１８，１８´が形成されている。この山折り線１８，１８´を折曲することによって、図２に示すように、ブラシ部断面は、下底のない略台形に形成される。ブラシ部７は、図１に示すように、細長い逆Ｖ字形の切欠き１９を多数形成して、細長い先細ブラシ片２０を多数連設することにより構成している。尚、図中２１は、切断線であり、２つのブラシ片２０が接している状態を示している。
【００２６】
尚、折曲線２，２´、スコップ部の山折り線１６，１６´及びブラシ部の山折り線１８，１８´を折曲することによって、スコップ部と主体部との間に図６に示すように開口２３が、主体部とブラシ部との間に図２に示すように開口２４が形成される。
【００２７】
次に、本発明の処理具の使用方法を説明する。
【００２８】
まずスコップとして使用する場合は、図６に示すように、片手で係止片１２，１２´を持って、凹状となったスコップ本体５上に糞２２を掬い取るようにすれば良い。
【００２９】
ブラシとして使用する場合は、図２に示すように、同様に片手で係止片１２，１２´を持って、糞を前方に押すようにして寄せ集めれば良い。集めた糞等の汚物は、スコップで掬うか、掴み片９，９´で挟んで適当な袋内に収容すればよい。
【００３０】
糞等の汚物を掴む場合は、図７に示すように、下端開口で糞２２を間隔付けて掴んで平坦接地面１５，１５´が地面２６上に設置するようにする。それから、片手２５で係止片１２，１２´を掴んで、押圧して、掴み片９，９´を糞の下に滑り込ませて糞を掴持（保持）し、適当なビニール袋等の袋類内で押圧を解いて、掴み片９，９´を弾性力により元の開いた位置に復帰させ、糞を袋類内に落下させて収容する。袋類内に収容した汚物は、生活可燃性ゴミとして処分することができる。
【００３１】
この際、図６及び図７に示すスコップ部に隣接した開口２３と、図２に示すブラシ部に隣接した開口２４は、矢印で示す空間長さが伸縮することにより、開閉自在なスプリングの作用を示す。従って、押圧を解いた場合に、このスプリングの作用から、掴み片９，９´は元の位置まで開いて掴んだ糞２２を離す。このように本発明の処理具は、スプリング力を有するので、厚紙で形成しても、複数回支障なく使用することができる。
【００３２】
本発明の処理具には、図２に示すように、ストラップ２７又は吊下げ紐２７´を連結すると、図６及び図７に示すように、手首に引掛けて使用したり、持ち歩き易くなるので便利である。上記実施例においては、主体部１の先端スコップ側にそれぞれ挿通孔２８，２８´を形成し、この挿通孔にストラップ（吊下げ紐）を連結している。
【００３３】
また上記実施例においては、手で掴む係止片１２，１２´は、その下に折返し片１４，１４´と折曲部３，３´が位置する３層重なった状態となっているので、汚物が直接目に触れないだけでなく、汚物を直接掴む不快な感触を感じることなく、間接的な間隔で掴むことができる。
【００３４】
本発明の処理具は、一個で汚物を挟み、掬い、掃き集めるというこの種従来の処理具には全く見られない多機能を有するので、誰でもペットの紐を持ったまま、片手でペットの汚物を容易に回収することができる。
【００３５】
また本発明の処理具は、厚紙から図１に示すように形成し、これを販売し、ユーザーが折曲して組み立てることができるので、極めて安価に提供することができる。
【００３６】
【発明の効果】
以上述べた如く、本発明によれば、片手で簡単に汚物を掴み、掬い、掃き集めることができるほか、熟練を要せずとも簡単に手を汚すことも汚物類の不快な感触を感じることもなく行うことができ、確実に汚物類を収集し持ち帰ることができるというこの種従来の処理具には全く見られない顕著な効果を奏する。
【００３７】
また最近では、街中、公園、道路、河原等、さまざまな場所での糞等の汚物の持ち帰り処理が義務付けられているが、本発明の処理具は、このような要請に充分応えることのできるものである。
【００３８】
更に本発明の処理具は、可愛キャラクターに容易に形成することができるので、使用するものに興味と、愛着を感じさせるデザインに構成することができる。
【００３９】
【図面の簡単な説明】
【図１】本発明の一実施例を示す展開図である。
【図２】図１の処理具を組み立てた状態の背面斜視図である。
【図３】図１の処理具を組み立てた状態の裏面斜視図である。
【図４】本発明の処理具の掴み片の一実施例を示す正面図である。
【図５】従来使用の掴み片の例を示す正面図である。
【図６】本発明処理具のスコップ部使用時の斜視図である。
【図７】本発明処理具使用時の正面図である。
【符号の説明】
１  主体部
２，２´  山折り折曲線
３，３´  折曲部
４  切込み線（切込み）
５  スコップ部
６  切込み線（切込み）
７  ブラシ部
８，８´  第１の谷折り折曲線
９，９´  掴み片
１２，１２´  係止片
１３，１３´  第２の谷折り折曲線
１４，１４´  折返し片
１５，１５´  平坦接地面
２３  スコップ部に隣接した開口
２４  ブラシ部に隣接した開口
【図１】
2004229620.tif 000003
【図２】
2004229620.tif 000004
【図３】
2004229620.tif 000005
【図４】
2004229620.tif 000006
【図５】
2004229620.tif 000007
【図６】
2004229620.tif 000008
【図７】
2004229620.tif 000009